(57)【要約】【課題】ダストボックス持ち運び用の把手に設けた押釦を誤って操作した状態で、ダストボックスを電気掃除機本体から取り出し、底蓋がいきなり開動することを防止すること。【解決手段】底面に塵埃排出用の底蓋２０を有するダストボックス６に、収納状態である略水平位置から垂直位置までの範囲を回動自在に設けられた把手７と、把手７の一部に設けられた押釦１８と、底蓋２０を係止する尾錠２２と、押釦１８に連動し、尾錠２２による底蓋２０の係止を解除する突起体１９とを設け、押釦１８は、把手７が倒立状態である垂直位置に回動している状態でのみ、突起体１９と連接して押釦１８の操作により底蓋２０を開動する構成としたもので、把手７が収納状態で押釦１８を操作されても底蓋２０が開動状態にはならず、ダストボックス６を取り出した際に、底蓋２０がいきなり大きく開いて塵埃が飛散することもなくなり、使い勝手の高い電気掃除機を提供できる。【選択図】図６
2010057653.tif 000002
【特許請求の範囲】
【請求項１】
電気掃除機本体と、前記電気掃除機本体に着脱自在で、底面に塵埃排出用の底蓋を有するダストボックスとを備え、前記ダストボックスには、持ち運び用の把手と、前記把手の一部に設けられた押釦と、前記ダストボックスの底蓋を係止する尾錠と、前記押釦に連動し、前記尾錠による底蓋の係止を解除する突起体とを設け、前記把手は、自身の収納状態である略水平位置から垂直位置までの略９０度の範囲でダストボックス上方を回動自在に設けられ、前記押釦は、前記把手が倒立状態である垂直位置に回動している状態でのみ前記突起体と連接するように設けられ、前記把手の倒立状態における前記押釦の操作により前記突起体が連接して摺動し、この突起体の摺動に連動して前記尾錠が底蓋の係止を解除し、前記ダストボックスの底蓋を開動させる構成としたことを特徴とする電気掃除機。
【請求項２】
把手を倒立状態である垂直位置に回動させた状態で、前記把手の押釦と、前記押釦に連接する突起体と、ダストボックスの底蓋を係止する尾錠とが、前記ダストボックスの上下方向に一直線上に配設される構成としたことを特徴とする請求項１記載の電気掃除機。
【請求項３】
押釦の操作部を、把手に形成した凹部に配設すると共に、同操作部を覆うカバー体を、前記凹部に設けたことを特徴とする請求項１または２記載の電気掃除機。
【発明の詳細な説明】
【技術分野】
【０００１】
本発明は着脱式のダストボックスを有する電気掃除機に関するものである。
【背景技術】
【０００２】
従来のこの種の電気掃除機について図８を用いて説明する。図８は、従来の電気掃除機斜視図である。
【０００３】
図８において、掃除機本体１０１はケース１０２とカバー部材１０３とから構成されている。ケース１０２には、集塵容器１０９を載置する載置部（図示せず）が形成されている。集塵容器１０９は、容器本体１１８と、容器本体１１８の底部近傍に設けた開閉可能な蓋（図示せず）と、前記蓋を閉状態に保持するクランプ機構（図示せず）が設けられている。
【０００４】
集塵容器１０９に設けた持ち運び用の把手部１２０の上部には、蓋解除ボタン１３４が設けられており、この蓋解除ボタン１３４を押すことでクランプ解除バー（図示せず）を介してクランプ機構（図示せず）が解除され、蓋が開放される。集塵容器１０９をケース１０２に載置した状態でカバー部材１０３を閉じると、蓋解除ボタン１３４はカバー部材１０３により覆われる（例えば、特許文献１参照）。
【特許文献１】特開２００３−０１９０９５号公報
【発明の開示】
【発明が解決しようとする課題】
【０００５】
しかしながら、上記従来の電気掃除機の構成では、カバー部材１０３を開くと蓋解除ボタン１３４に手が触れるため、集塵容器１０９を本体１０１から取り出す前に、蓋解除ボタン１３４をうっかり押して、クランプ機構が解除されたのを知らずに、本体１０１から集塵容器１０９を取り外した時に、蓋が開いて、せっかく捕集したごみが不用意に集塵容器１０９から排出されてしまうという課題があった。
【０００６】
本発明は上記従来の課題を解決するものであって、ダストボックスを本体から取り出す前に、誤って蓋のクランプ機構を解除してしまい、ダストボックスを本体から取り出した際に、いきなり蓋が開いて、せっかく捕集したごみが不用意に排出されることを防止できる、使い勝手のよい電気掃除機を提供することを目的とするものである。
【課題を解決するための手段】
【０００７】
上記従来の課題を解決するために本発明は、電気掃除機本体と、前記電気掃除機本体に着脱自在で、底面に塵埃排出用の底蓋を有するダストボックスとを備え、前記ダストボックスには、持ち運び用の把手と、前記把手の一部に設けられた押釦と、前記ダストボックスの底蓋を係止する尾錠と、前記押釦に連動し、前記尾錠による底蓋の係止を解除する突起体とを設け、前記把手は、自身の収納状態である略水平位置から垂直位置までの略９０度の範囲でダストボックス上方を回動自在に設けられ、前記押釦は、前記把手が倒立状態である垂直位置に回動している状態でのみ前記突起体と連接するように設けられ、前記把手の倒立状態における前記押釦の操作により前記突起体が連接して摺動し、この突起体の摺動に連動して前記尾錠が底蓋の係止を解除し、前記ダストボックスの底蓋を開動させる構成としたことを特徴とするものである。
【０００８】
上記構成より、ダストボックス持ち運び用の把手が収納状態である水平位置では、押釦を操作しても、ダストボックスの底蓋が開かず、把手を倒立状態である垂直位置に回動させた状態でのみ、押釦を操作した際に、ダストボックスの底蓋を開くことが可能になり、把手が収納状態にあるときに、誤って押釦を操作して、尾錠によるダストボックスの底蓋の係止を解除状態にしてしまい、ダストボックスを電気掃除機本体から取り出した際に、底蓋と対峙していた掃除機本体の内壁による規制がなくなるため、いきなり底蓋が大きく開いて、せっかく捕集したごみが不用意に排出されることを防止できるものである。
【発明の効果】
【０００９】
本発明の電気掃除機は、ダストボックスを掃除機本体に収納した状態で、誤操作により、ダストボックスの底部に設けた塵埃排出用の底蓋を開成することを防止でき、使用性に優れたものである。
【発明を実施するための最良の形態】
【００１０】
第１の発明は、電気掃除機本体と、前記電気掃除機本体に着脱自在で、底面に塵埃排出用の底蓋を有するダストボックスとを備え、前記ダストボックスには、持ち運び用の把手と、前記把手の一部に設けられた押釦と、前記ダストボックスの底蓋を係止する尾錠と、前記押釦に連動し、前記尾錠による底蓋の係止を解除する突起体とを設け、前記把手は、自身の収納状態である略水平位置から垂直位置までの略９０度の範囲でダストボックス上方を回動自在に設けられ、前記押釦は、前記把手が倒立状態である垂直位置に回動している状態でのみ前記突起体と連接するように設けられ、前記把手の倒立状態における前記押釦の操作により前記突起体が連接して摺動し、この突起体の摺動に連動して前記尾錠が底蓋の係止を解除し、前記ダストボックスの底蓋を開動させる構成としたことを特徴とするもので、ダストボックス持ち運び用の把手が収納状態である水平位置では、押釦を操作しても、ダストボックスの底蓋が開かず、把手を倒立状態である垂直位置に回動させた状態でのみ、押釦を操作した際に、ダストボックスの底蓋を開くことが可能になり、把手が収納状態にあるときに、誤って押釦を操作し、ダストボックスを本体から取り出した際に、いきなり蓋が大きく開いて、せっかく捕集したごみが不用意に排出されることを防止できるものである。
【００１１】
第２の発明は、第１の発明の把手を、倒立状態である垂直位置に回動させた状態で、前記把手の押釦と、前記押釦に連接する突起体と、ダストボックスの底蓋を係止する尾錠とが、前記ダストボックスの上下方向に一直線上に配設される構成としたもので、ダストボックスの上下方向に一直線上に並べて配設したことにより、押釦の操作力が無駄なく一直線に尾錠に伝達され、押釦の操作が尾錠にそのまま伝達された連動した動きを可能にすることが出来るものである。
【００１２】
第３の発明は、第１または第２の発明の押釦の操作部を、把手に形成した凹部に配設すると共に、同操作部を覆うカバー体を、前記凹部に設けたもので、ダストボックス持ち運び用の把手を回動させて電気掃除機本体からダストボックスを取り外した状態で、更に誤って押釦の操作部を押してしまうことを防止できるものである。
【００１３】
以下、本発明の実施の形態について、図面を参照しながら説明する。なお、この実施の形態によって本発明が限定されるものではない。
【００１４】
（実施の形態１）
本発明の第１の実施の形態における電気掃除機について、図１〜図６を用いて説明する。
【００１５】
図１（ａ）は、本実施の形態における電気掃除機本体外観の平面図、図１（ｂ）は、同、側面図、図２は、同電気掃除機の断面図、図３は、同電気掃除機のダストボックス着脱部分の部分断面図（把手収納位置／ダストボックス連結状態）、図４は、同電気掃除機のダストボックス着脱部分の他の状態を示す部分断面図（把手倒立位置／ダストボックス解除状態）である。
【００１６】
図１、２において、１は電気掃除機本体（以下、「本体」と称す）であり、本体１下部には走行車輪２が設けられている。走行車輪２の上段には電源コード３が配置され、さらに電源コード３の上段（本体上部）には、本体前方にホースを接続する吸気口４を、後方には塵埃を吸引するための電動送風機５を配置し、吸気口４と電動送風機５との間に塵埃を収容するダストボックス６を配している。ダストボックス６は本体に対して着脱自在である。
【００１７】
上記構成による動作は、電動送風機５によって吸引された塵埃はダストボックス６内に収容される。収容された塵埃は本体１からダストボックス６を取り外し、底蓋２０を開くことで排出でき繰り返し使用できるというものである。
【００１８】
次に、本発明の特徴であるダストボックス６の構成について図３〜図６を用いて説明する。
【００１９】
ダストボックス６は、上段に把手７と連結軸８を有する蓋ユニット９を形成し、下段に塵埃を収容する集塵室１０及び底蓋２０を形成している。蓋ユニット９の上部には前後方向に回動自在な把手７を、下部には本体１への嵌合部となる連結軸８を有している。まず、連結軸８の構成であるが、蓋ユニット９を構成する上蓋１１と下蓋１２との間に前後方向に摺動自在に狭持されており、バネ１３によって内側へと付勢されている。また、連結軸８の一部は切り欠かれた上蓋１１より突出し、その突出部１４を後方へ動かすことで連結軸８が蓋ユニット９から突出する構成である。次に把手７であるが、把手７はその中央部分が連結軸８の突出部１４に位置するように、ダストボックス６の外形にそって両サイドに半円弧状に伸び、その端部に設けられた軸１５にて回動自在に上蓋１１に支持されている。把手７の回動動作範囲は水平位置（収納位置）から垂直位置（倒立位置）までである。把手は水平位置（収納状態）においては連結軸８の突出部１４の内側に接触し、連結軸８をダストボックス６外に突出させ、垂直位置（倒立位置）では連結軸８の突出部１４より離れる設定となっている。
【００２０】
１８は、ダストボックス６を持ち運ぶための把手７を回動自在に支持した回動軸１５の近傍に内蔵された押釦で、把手７を上蓋１１上で水平位置（収納状態）から垂直位置（倒立状態）に回動させた位置で突起体１９に連接するよう構成されている。前記突起体１９は、押釦１８に連動し、摺動して前記下蓋１２の下端から出入し、またダストボックス６を構成する集塵室１０の上下方向に連接体２１が設けられ前記連接体２１の上端は前記突起体１９に、下端は集塵室１０底面に設けた底蓋２０の一端を係止した尾錠２２の上端に連接されている。この連接体２１は、突起体１９の出入に連動して摺動し、尾錠２２の上端を押すことで開動方向にバネ付勢された底蓋２０の係止解除を行い、底蓋２０を開動させる構成としている。また把手７の押釦１８、同押釦１８に連接する突起体１９、上記突起体１９の出入に連動して集塵室１０の底面に設けた底蓋２０を開動させる連接体２１、尾錠２２は、上記ダストボックス６の上下方向に一直線上に並べて配設されている。
【００２１】
尚、本実施の形態において、突起体１９は連接体２１を介して、間接的に尾錠２２による底蓋２０の係止を解除しているが、連接体を介さず、直接尾錠に働きかけても、問題ないものである。
【００２２】
また上記連接体２１は、集塵室１０の外壁面に沿って形成した連通孔２３の内部に配設されており、摺動操作時に塵埃が摺動部の隙間に入り込むのを防いでいる。上記押釦１８は、把手７を上蓋１１上で垂直位置（倒立状態）から水平位置（収納状態）に回動させた位置では上蓋１１に形成した壁面が押釦１８の摺動の動きを阻止することで動作しないよう構成してある。したがって把手を垂直位置（倒立状態）から水平位置（収納状態）に回動させた位置では、押釦１８を操作することが出来ず、押釦１８の誤操作を防止することが出来るものである。
【００２３】
また２５は、押釦１８部分を覆う庇体で把手７を上蓋１１上で水平位置（収納状態）に回動させた位置で押釦１８部分を覆うことで使用者が誤って押釦１８に触れるのを防止し、誤操作を防止することが出来ると共に製品の外観デザインを向上させる効果を有する。
【００２４】
本構成における動作としては、把手を垂直位置（倒立位置）から水平位置（収納位置）まで回動する動作の中で、把手７の下面が連結軸８の突出部１４を後方にずらし、連結軸８をダストボックス６から突出させその突出部１４が本体側の嵌合部１６に入り込む。逆に、把手７を持ち上げると連結部分を規制するものがなくなり、バネ１３の付勢力にて連結軸８がダストボックス６内に収納され、ダストボックス６が本体１から外せる状態となるものである。つまり、使用者がダストボックス６を取り外したい時には、ダストボックス６の把手７を持ち上げるだけで本体１から取り外すことができるもので、これは本体１を持ち運ぼうとして誤ってダストボックス６の把手７を持ってしまった時に本体１が持ち上がらないようにする機能を併せもつものである。このように、本発明によりダストボックス６の着脱性の向上を図るとともに、把手７の誤使用を防止することで把手７のシンプル化を図ることができた。
【００２５】
さらに、嵌合部１６内に連結軸８の有無によってＯＮ／ＯＦＦ状態を切り替えられるスイッチ１７を設けておくと、連結軸８の有無すなわちダストボックス６の有無やダストボックス６の誤装着を判断することができ、ダストボックス６の未装着や誤装着の時に電気掃除機の運転を停止したり、ブザーや音声手段によりお知らせすることができるというものである。
【００２６】
また押釦１８を操作することで連動して前記下蓋１２の下端から突起体１９が出入し、上記突起体１９の出入に連動して前記ダストボックス６の集塵室１０の底面に設けた底蓋２０を開動させる構成とされていることにより、ダストボックス６持ち運び用の把手７を回動させて本体１からダストボックス６を取り外した状態でのみ把手７に設けた押釦１８を操作して底蓋２０の開動を行うことができるようにし、それ以外の状態で誤って底蓋２０を開いてしまう危険性をなくすことが出来るものである。
【００２７】
また上記押釦１８は、把手７を上蓋１１上で垂直位置（倒立状態）から水平位置（収納状態）に回動させた位置では上蓋１１に形成した壁面が押釦１８の摺動の動きを阻止することで動作しないよう構成してあるため、把手７を垂直位置（倒立状態）から水平位置（収納状態）に回動させた位置では、押釦１８を操作することが出来ず、押釦１８の誤操作を防止することが出来るものである。
【００２８】
また把手７の押釦１８、同押釦１８に連接する突起体１９、上記突起体１９の出入に連動して集塵室１０の底面に設けた底蓋２０を開閉させる連接体２１、尾錠２２は、上記ダストボックス６の上下方向に一直線上に並べて配設されているため、押釦１８の操作力が無駄なく一直線に尾錠２２に伝達され、押釦１８の操作が尾錠２２にそのまま伝達された連動した動きを可能にすることが出来るものである。
【００２９】
また上記連接体２１は、ダストボックス６を構成する集塵室１０の外壁面に沿って形成した連通孔２３の内部に配設されているため、摺動操作時に塵埃が摺動部の隙間に入り込むのを防ぎ、摺動部の動作不良を防止することが出来るものである。
【００３０】
（実施の形態２）
本発明の第２の実施の形態について、図７を用いて説明する。なお、実施の形態１と同一部分については同一符号を付してその詳細な説明を省略する。
【００３１】
図７において３０は、押釦１８の操作部３１を覆うカバー体で把手７に形成した凹部３２に配設されている。押釦１８の操作部３１をカバー体３０で覆う構成とすることで、ダストボックス６の持ち運び用の把手７を回動させて本体１からダストボックス６を取り外した状態で、更に誤って押釦１８の操作部３１を押してしまうのを防止するものである。つまり本来ならばごみ箱の上部までダストボックス６を持っていってそこで押釦１８の操作部３１を押して底蓋２０を開動させ収容された塵埃を排出するのを誤ってそれ以外で押釦１８の操作部３１を押してしまうのをカバー体３０で防止するものである。
【産業上の利用可能性】
【００３２】
以上のように、本発明にかかる電気掃除機のダストボックス構成は、着脱性の使用性向上を図るとともに、底蓋の誤開動を防止する構成として有用である。
【図面の簡単な説明】
【００３３】
【図１】（ａ）本発明の実施の形態１における電気掃除機の平面図（ｂ）同、電気掃除機本体の側面図
【図２】同電気掃除機の断面図
【図３】同電気掃除機のダストボックス着脱部の要部断面図（把手収納状態）
【図４】同電気掃除機のダストボックス着脱部の要部断面図（把手倒立状態）
【図５】（ａ）同電気掃除機の把手収納状態における、一部（底蓋開動構成部分）断面平面図（ｂ）同電気掃除機の把手収納状態における、一部（底蓋開動構成部分）断面側面図
【図６】（ａ）同電気掃除機の把手倒立状態における、一部（底蓋開動構成部分）断面正面図（ｂ）同電気掃除機の把手倒立状態における、一部（底蓋開動構成部分）断面側面図
【図７】本発明の実施の形態２における電気掃除機の把手部の詳細図
【図８】従来の電気掃除機の斜視図
【符号の説明】
【００３４】
１    電気掃除機本体
６    ダストボックス
７    把手
８    連結軸
９    蓋ユニット
１８  押釦
１９  突起体
２０  底蓋
２１  連接体
２２  尾錠
３０  カバー体
３１  操作部
３２  凹部
【図１】
2010057653.tif 000003
【図２】
2010057653.tif 000004
【図３】
2010057653.tif 000005
【図４】
2010057653.tif 000006
【図５】
2010057653.tif 000007
【図６】
2010057653.tif 000008
【図７】
2010057653.tif 000009
【図８】
2010057653.tif 000010